【手続補正書】
【提出日】平成17年8月12日(2005.8.12)
【手続補正１】
【補正対象書類名】明細書
【補正対象項目名】請求項２
【補正方法】変更
【補正の内容】
【請求項２】
前記増幅回路は、さらに、同一の特性を有する第３のＭＯＳトランジスタおよび第４のＭＯＳトランジスタと、同一の特性を有する第５のＭＯＳトランジスタおよび第６のＭＯＳトランジスタと、同一の特性を有する第１の負荷および第２の負荷とを含み、
前記第３のＭＯＳトランジスタのドレインと前記第５のＭＯＳトランジスタのドレインとが接続され、当該接続点に第１の出力端子が接続され、
前記第４のＭＯＳトランジスタのドレインと前記第６のＭＯＳトランジスタのドレインとが接続され、当該接続点に第２の出力端子が接続され、
前記第３のＭＯＳトランジスタのソースと前記第４のＭＯＳトランジスタのソースとが接続され、当該接続点に前記第２のＭＯＳトランジスタのドレインが接続され、
前記第５のＭＯＳトランジスタのソースと前記第６のＭＯＳトランジスタのソースとが接続され、当該接続点に前記第１のＭＯＳトランジスタのドレインが接続され、
前記第１のＭＯＳトランジスタは、ゲートが前記制御回路に接続され、ソースが第１の固定電位に接続され、
前記第２のＭＯＳトランジスタは、ゲートが前記制御回路に接続され、ソースが前記第１の固定電位に接続され、
前記第３のＭＯＳトランジスタは、ゲートがドレインに接続され、
前記第４のＭＯＳトランジスタは、ゲートがドレインに接続され、
前記第６のＭＯＳトランジスタは、ゲートが第１の入力端子に接続され、
前記第５のＭＯＳトランジスタは、ゲートが第２の入力端子が接続され、
前記第１の負荷は、一方が第２の固定電位に接続され、他方が前記第１の出力端子に接続され、
前記第２の負荷は、一方が前記第２の固定電位に接続され、他方が前記第２の出力端子に接続される、請求項１記載の可変利得増幅器。
【手続補正２】
【補正対象書類名】明細書
【補正対象項目名】請求項３
【補正方法】変更
【補正の内容】
【請求項３】
前記制御回路は、同一の特性を有する第７のＭＯＳトランジスタおよび第８のＭＯＳトランジスタと、同一の特性を有する第９のＭＯＳトランジスタと第１０のＭＯＳトランジスタと、第１定電流回路とを含み、
前記第７のＭＯＳトランジスタは、ソースが前記第１の固定電位に接続され、
前記第８のＭＯＳトランジスタは、ソースが前記第７のＭＯＳトランジスタのドレインに接続され、ドレインが前記第２の固定電位に接続され、
前記第９のＭＯＳトランジスタは、ソースが前記第１の固定電位に接続され、ドレインが自己のゲートに接続され、
前記第１０のＭＯＳトランジスタは、ソースが前記第９のＭＯＳトランジスタのドレインに接続され、ドレインが自己のゲートおよび前記第１定電流回路に接続され、ゲートが前記第８のＭＯＳトランジスタのゲートに接続され、
前記第７のＭＯＳトランジスタのドレインは、前記第２のＭＯＳトランジスタのゲートに接続され、
前記第７のＭＯＳトランジスタのゲートは、前記第１のＭＯＳトランジスタのゲートに接続されるとともに、前記第９のＭＯＳトランジスタのゲート電圧に制御電圧が付加された電圧が入力される、請求項２記載の可変利得増幅器。
【手続補正３】
【補正対象書類名】明細書
【補正対象項目名】０１１５
【補正方法】変更
【補正の内容】
【０１１５】
Ｖｄ５３＝Ｖｇ５４−Ｖｇｓ５３
＝Ｖｇ５４−Ｖｇ５３
＝Ｖｇ５４−Ｖｄ５５
＝Ｖｇ５４−（Ｖｇ５６−Ｖｇ５５）
＝Ｖｇ５５＋（Ｖｇ５４−Ｖｇ５６）・・・（Ｃ１５）
ここで、Ｖｄ５３＝Ｖｃ１、Ｖｇ５４＝Ｖｃｏｎ２、Ｖｇ５６＝Ｖｃｏｎ１とすると、式（Ｃ８）より、次式が得られる。
【手続補正４】
【補正対象書類名】明細書
【補正対象項目名】０１１６
【補正方法】変更
【補正の内容】
【０１１６】
Ｖｃ１＝Ｖｂ＋（Ｖｃｏｎ２−Ｖｃｏｎ１）・・・（Ｃ１６）
Ｍ５１とＭ５２は、レベルシフト回路を構成している。ここで、Ｍ５１とＭ５２は、同一特性を有するので、Ｍ５２のゲート・ソース間電圧Ｖｇｓ５２とＭ５１のゲート・ソース間電圧Ｖｇｓ５１は、次のようになる。
【手続補正５】
【補正対象書類名】明細書
【補正対象項目名】０１１７
【補正方法】変更
【補正の内容】
【０１１７】
Ｖｇｓ５２＝Ｖｇｓ５１・・・（Ｃ１７）
Ｍ５２のゲートとＭ５８のゲートが接続されているので、式（Ｃ３）より、次式が成立する。
【手続補正６】
【補正対象書類名】明細書
【補正対象項目名】０１１８
【補正方法】変更
【補正の内容】
【０１１８】
Ｖｇ５２＝Ｖｇ５８＝２Ｖｂ・・・（Ｃ１８）
また、Ｍ５１は、ソースが接地されているので、次式が成立する。
【手続補正７】
【補正対象書類名】明細書
【補正対象項目名】０１１９
【補正方法】変更
【補正の内容】
【０１１９】
Ｖｇ５１＝Ｖｇｓ５１・・・（Ｃ１９）
Ｍ５１のドレインとＭ５２のソースが接続されているので、次式が成立する。
【手続補正８】
【補正対象書類名】明細書
【補正対象項目名】０１２０
【補正方法】変更
【補正の内容】
【０１２０】
Ｖｄ５１＝Ｖｇ５２−Ｖｇｓ５２・・・（Ｃ２０）
式（Ｃ１７）、（Ｃ１９）および（Ｃ２０）より、次式が得られる。
【手続補正９】
【補正対象書類名】明細書
【補正対象項目名】０１２１
【補正方法】変更
【補正の内容】
【０１２１】
Ｖｄ５１＝Ｖｇ５２−Ｖｇ５１・・・（Ｃ２１）
ここで、Ｖｄ５１＝Ｖｃ２、Ｖｇ５１＝Ｖｃ１とすると、式（Ｃ１６）、（Ｃ１８）、および（Ｃ２１）より、次式が得られる。
【手続補正１０】
【補正対象書類名】明細書
【補正対象項目名】０１２２
【補正方法】変更
【補正の内容】
【０１２２】
Ｖｃ２＝Ｖｇ５２−Ｖｃ１
＝２Ｖｂ−Ｖｃ１
＝２Ｖｂ−｛Ｖｂ＋（Ｖｃｏｎ２−Ｖｃｏｎ１）｝
＝Ｖｂ−（Ｖｃｏｎ２−Ｖｃｏｎ１）・・・（Ｃ２２）
ここで、
Ｖｃｏｎ＝Ｖｃｏｎ２−Ｖｃｏｎ１・・・（Ｃ２３）
とすると、以下の式が得られる。
【手続補正１１】
【補正対象書類名】明細書
【補正対象項目名】０１２３
【補正方法】変更
【補正の内容】
【０１２３】
Ｖｃ１＝Ｖｂ＋Ｖｃｏｎ・・・（Ｃ２４）
Ｖｃ２＝Ｖｂ−Ｖｃｏｎ・・・（Ｃ２５）
増幅回路１００のＭ１を流れる電流Ｉ１は、式（Ｃ２４）より、次のようになる。
【手続補正１２】
【補正対象書類名】明細書
【補正対象項目名】０１２４
【補正方法】変更
【補正の内容】
【０１２４】
Ｉ１＝Ｋ（Ｖｇｓ１−Ｖｔｈ）2＝Ｋ（Ｖｃ１−Ｖｔｈ）2＝Ｋ（Ｖｂ＋Ｖｃｏｎ−Ｖｔｈ）2・・・（Ｃ２６）
同様に、増幅回路１００のＭ２を流れる電流Ｉ２は、式（Ｃ２５）より、次のようになる。
【手続補正１３】
【補正対象書類名】明細書
【補正対象項目名】０１２５
【補正方法】変更
【補正の内容】
【０１２５】
Ｉ２＝Ｋ（Ｖｇｓ２−Ｖｔｈ）2＝Ｋ（Ｖｃ２−Ｖｔｈ）2＝Ｋ（Ｖｂ−Ｖｃｏｎ−Ｖｔｈ）2・・・（Ｃ２７）
式（Ａ６）、（Ｃ２６）および（Ｃ２７）より、ｇａｉｎは、次式で表される。
【手続補正１４】
【補正対象書類名】明細書
【補正対象項目名】０１２６
【補正方法】変更
【補正の内容】
【０１２６】
【数１８】
2004104491.tif 000001
【手続補正１５】
【補正対象書類名】明細書
【補正対象項目名】０１２７
【補正方法】変更
【補正の内容】
【０１２７】
Ｖｃｏｎ’＝Ｖｃｏｎ／（Ｖｂ−Ｖｔｈ）・・・（Ｃ２９）
とし、式（Ｃ２８）に式（Ａ２３）の近似式をｎ＝１として適用すると、
ｇａｉｎ∝ｅｘｐ（２Ｖｃｏｎ’）・・・（Ｃ３０）
と表わされる。したがって、第１の実施形態と同様に、本実施の形態の可変利得増幅器では、ｇａｉｎは、式（Ａ２３）においてｎ＝１のときの近似式で近似される。